(57)【要約】      （修正有）【課題】簡易な操作でバックル本体と結合部材を結合することができ、単純な操作では係合が解除されず、かつ、磁石や鍵などの付属物を用いることなく係合を解除することのできるバックルを提供する。【解決手段】バックル本体２０と、バックル本体２０に解除可能に結合される結合部材５０とからなるバックルであって、バックル本体２０は、ベース部２１と、ベース部２１に対して回動可能に支持された回動部材４０と、弾性力によって回動部材４０を一定方向に回動させる弾性部材３０とを備え、回動部材４０の先端には、弾性部材３０による回動方向に突出する第１係合部４５が設けられ、ベース部２１は第１磁石２４を内蔵するとともに、ベース部２１に対する結合部材５０の結合位置を定める複数の第１位置決め部を備え、結合部材５０は、第２磁石５４を内蔵するとともに、第１位置決め部にそれぞれ係合される複数の第２位置決め部と、第１係合部４５に係合される第２係合部５５とを備える。【選択図】図６
0003200327.tif 000002
【実用新案登録請求の範囲】
【請求項１】
バックル本体と、前記バックル本体に解除可能に結合される結合部材とからなるバックルであって、
前記バックル本体は、ベース部と、前記ベース部に対して回動可能に支持された回動部材と、弾性力によって前記回動部材を一定方向に回動させる弾性部材とを備え、
前記回動部材の先端には、前記弾性部材による前記回動方向に突出する第１係合部が設けられ、
前記ベース部は第１磁石を内蔵するとともに、前記ベース部に対する前記結合部材の結合位置を定める複数の第１位置決め部を備え、
前記結合部材は、第２磁石を内蔵するとともに、前記複数の第１位置決め部にそれぞれ係合される複数の第２位置決め部と、前記第１係合部に係合する第２係合部とを備え、
前記複数の第１位置決め部と前記複数の第２位置決め部をそれぞれ互いに係合させたとき、前記弾性部材の弾性力によって回動した前記回動部材の前記第１係合部が前記第２係合部に係合するとともに、前記第１磁石と前記第２磁石が互いに吸引し合うことによって、前記バックル本体と前記結合部材が互いに結合され、
前記弾性部材の弾性力に抗して前記回動部材を回動させることによって、前記第１係合部と前記第２係合部との係合を解除させ、さらに前記第１磁石と前記第２磁石の間に働く吸引力に抗して前記バックル本体と前記結合部材を互いに離間させることによって前記バックル本体と前記結合部材の結合を解除させることを特徴とするバックル。
【請求項２】
前記結合部材は、本体部と、前記本体部から前方へ突出する結合部とを備え、
前記結合部の前面には前記第２位置決め部が設けられ、上面には前記第２係合部が設けられ、
前記ベース部は、前記結合部を収容する収容凹部を備え、
前記複数の第１位置決め部と前記複数の第２位置決め部がそれぞれ互いに係合されるまで前記結合部を前記収容凹部へ挿入させると、前記弾性部材の弾性力によって回動した前記回動部材の前記第１係合部が前記第２係合部に係合するとともに、前記第１磁石と前記第２磁石が互いに吸引し合うことによって、前記バックル本体と前記結合部材が互いに結合されることを特徴とする請求項１に記載のバックル。
【考案の詳細な説明】
【技術分野】
【０００１】
本考案は、鍵による施錠などのように付属物を用いた固定操作を行う必要がなく、容易に結合が解除されないようにバックル本体と結合部材を結合することのできるバックルに関する。
【背景技術】
【０００２】
介護衣服などにおいては、簡易な操作で結合することができ、かつ、バックル本体と結合部材を互いに引っ張るような単純な操作では係合が解除できない留め具やバックルが求められている。
例えば、特許文献１には、受金具と、受け金具に係合するラッチと、受け金具とラッチとを係合した状態で係止する係止部材とを備え、係止部材を磁石の磁力で動作させることにより、受け金具とラッチとの係止を開放する係止機構付き留め具が開示されている。この留め具によれば、係止部材を磁力で動作させることによって受け金具とラッチとの係止を開放して取り外しすることができる。このため、係止の開放にあたっては磁石を用いることによって簡易に作業ができる一方で、開放時以外は係止状態を確実に維持できるため、係止の開放についての作業負担の軽減と、結合に対する高い信頼性とを両立させることができる。
【先行技術文献】
【特許文献】
【０００３】
【特許文献１】特開２００５−２３０３５８号公報
【考案の概要】
【考案が解決しようとする課題】
【０００４】
しかしながら、特許文献１に記載の留め具は、外部の磁石で係止部材を動作させるものであるため、受け金具とラッチの係止の開放に、バックルとは別部材の磁石が必要であり、この磁石がなければ受け金具とラッチの係止の開放を行うことができないという問題点がある。
【０００５】
そこで本考案は、簡易な操作でバックル本体と結合部材を結合することができ、単純な操作では係合が解除されず、かつ、磁石や鍵などの付属物を用いることなく係合を解除することのできるバックルを提供することを目的とする。
【課題を解決するための手段】
【０００６】
上記課題を解決するために、本考案のバックルは、バックル本体と、バックル本体に解除可能に結合される結合部材とからなるバックルであって、バックル本体は、ベース部と、ベース部に対して回動可能に支持された回動部材と、弾性力によって回動部材を一定方向に回動させる弾性部材とを備え、回動部材の先端には、弾性部材による回動方向に突出する第１係合部が設けられ、ベース部は第１磁石を内蔵するとともに、ベース部に対する結合部材の結合位置を定める複数の第１位置決め部を備え、結合部材は、第２磁石を内蔵するとともに、複数の第１位置決め部にそれぞれ係合される複数の第２位置決め部と、第１係合部に係合する第２係合部とを備え、複数の第１位置決め部と複数の第２位置決め部をそれぞれ互いに係合させたとき、弾性部材の弾性力によって回動した回動部材の第１係合部が第２係合部に係合するとともに、第１磁石と第２磁石が互いに吸引し合うことによって、バックル本体と結合部材が互いに結合され、弾性部材の弾性力に抗して回動部材を回動させることによって、第１係合部と第２係合部との係合を解除させ、さらに第１磁石と第２磁石の間に働く吸引力に抗してバックル本体と結合部材を互いに離間させることによってバックル本体と結合部材の結合を解除させることを特徴としている。
【０００７】
本考案のバックルにおいて、結合部材は、本体部と、本体部から前方へ突出する結合部とを備え、結合部の前面には第２位置決め部が設けられ、上面には第２係合部が設けられ、ベース部は、結合部を収容する収容凹部を備え、複数の位置決め部と複数の第２位置決め部がそれぞれ互いに係合されるまで結合部を収容凹部へ挿入させると、弾性部材の弾性力によって回動した回動部材の第１係合部が第２係合部に係合するとともに、第１磁石と第２磁石が互いに吸引し合うことによって、バックル本体と結合部材が互いに結合されることが好ましい。
【考案の効果】
【０００８】
本考案によると、簡易な操作でバックル本体と結合部材を結合することができ、単純な操作では係合が解除されず、かつ、磁石や鍵などの付属物を用いることなく係合を解除することができる。
【図面の簡単な説明】
【０００９】
【図１】（Ａ）は本考案の実施形態に係るバックルの係合状態を示す平面図、（Ｂ）は（Ａ）に示すバックルの係合を解除した状態を示す平面図である。
【図２】本考案の実施形態におけるバックル本体を分解して示す斜視図である。
【図３】本考案の実施形態における回動部材の構成を示す底面図である。
【図４】本考案の実施形態におけるバックル本体を前側から見た斜視図である。
【図５】（Ａ）は本考案の実施形態における結合部材を前方上側から見た斜視図、（Ｂ）は（Ａ）に示す結合部材の平面図である。
【図６】（Ａ）は本考案の実施形態におけるバックル本体と結合部材が結合される前の状態を示す断面図、（Ｂ）は本考案の実施形態におけるバックル本体と結合部材が結合された状態を示す断面図、（Ｃ）は本考案の実施形態におけるバックル本体と結合部材の結合が解除された状態を示す断面図である。
【考案を実施するための形態】
【００１０】
以下、本考案の実施形態に係るバックルについて図面を参照しつつ詳しく説明する。本実施形態に係るバックルは、介護衣服用バックルや乗物用シートベルトのバックルに適用可能である。
【００１１】
図１（Ａ）は本実施形態に係るバックル１０の係合状態を示す平面図、（Ｂ）は（Ａ）に示すバックル１０の係合を解除した状態を示す平面図である。
本実施形態のバックル１０は、図１（Ａ）、（Ｂ）に示すように、バックル本体２０と、バックル本体２０に解除可能に結合される結合部材５０とからなる。バックル本体２０と結合部材５０は、例えばアルミニウムやステンレス鋼を成型することによって製造される。
図１（Ａ）、（Ｂ）に示すように、バックル本体２０の後部に設けた取り付け部２７（図２）と、結合部材５０の後部に設けた取り付け部５７（図５（Ａ）、（Ｂ））には、布製のベルト１１の両端部がそれぞれ取り付けられており、バックル本体２０に対して結合部材５０を結合又は解除することによってベルトとして機能する。
【００１２】
（１）バックル本体２０の構成
図２は、本実施形態におけるバックル本体２０を分解して示す斜視図である。図３は、本実施形態における回動部材４０の構成を示す底面図である。図４は、本実施形態におけるバックル本体２０を前側から見た斜視図である。ここで、バックル本体２０における前側とは、結合部材５０に対向する結合開口部２８（図４）側であって図６における右側であり、後側とは取り付け部２７側であって図６における左側である。また、結合部材５０における前側とは、バックル本体２０に対向する結合部５８（図５）側であって図６における左側であり、後側とは取り付け部５７側であって図６における右側である。さらにまた、バックル本体２０及び結合部材５０において上下方向とは、厚み方向であって、図６における上下方向に対応し、左右方向とは、バックル本体２０及び結合部材５０の幅方向であって、図１（Ａ）、（Ｂ）における上下方向に対応する。
【００１３】
図２に示すように、バックル本体２０は、ベース部２１と、ベース部２１に対して回動可能に支持された回動部材４０と、自身の弾性力によって回動部材４０を一定方向に回動可能とする弾性部材としてのばね３０とを備える。
【００１４】
図２に示すように、ベース部２１は、上部から下方向へ凹むように設けられた有底の凹部２１ａを備える。この凹部２１ａは前後方向において複数の深さの階段状をなすように形成されている。
凹部２１ａの前後方向略中央の位置には、回動部材４０の支持部４２が回動可能に収容される支持凹部２２が左右に延びるように形成されている。この支持凹部２２の左右両方の内壁には、２つの支持孔部２３、２３がそれぞれ設けられており、この支持孔部２３、２３には軸部材４４（図６）の両端が回動可能にそれぞれ挿入される。軸部材４４は、回動部材４０の支持部４２を貫通するように設けられた支持孔部４３に挿通されており、例えば全体又は一部にゴムやばねを用いることによって、その軸方向に伸縮自在に構成されている。
【００１５】
図６に示すように、ベース部２１の内部には第１マグネット２４（第１磁石）が配置されている。この第１マグネット２４は、バックル本体２０と結合部材５０を互いに対向させたときに結合部材５０に内蔵された第２マグネット５４と互いに吸引しあうように磁極が配置されている。
【００１６】
図２に示すように、凹部２１ａにおいて支持凹部２２の前側部分には、下側へ凹んだ係合凹部２５（第２係合部）が設けられている。この係合凹部２５には、軸部材４４によって支持された回動部材４０の下面に設けられた係合凸部４５が挿脱可能とされる。
【００１７】
図２に示すように、凹部２１ａ内において支持凹部２２の後側部分には、左右方向の中心の位置において下方に凹んだばね受け凹部２６が設けられている。このばね受け凹部２６には、上下方向に延びるように配置されたばね３０の下端が収容される。
また、ベース部２１の最も後側には左右方向に延びる棒状の取り付け部２７が設けられている。
【００１８】
図４に示すように、ベース部２１の前側の端面には、前側へ開いた結合開口部２８（図４）が形成されている。この結合開口部２８は、係合凹部２５に連なるように形成され、結合部材５０の結合部５８を内部に収容する収容凹部を構成する。また、係合凹部２５の内壁には、後ろ側に凹んだ２つの位置決め凹部２９ａ、２９ｂ（第１位置決め部）が設けられている。
【００１９】
回動部材４０は、図２に示すように平面視で略矩形状をなしている。図３に示すように、回動部材４０の下面４１には、前側から後側へ順に係合凸部４５（第１係合部）、支持部４２、及び、ばね受け凹部４６が設けられている。
支持部４２は、回動部材４０の前後方向の略中央において、左右方向に延び、かつ、下方に突出するように設けられる。支持部４２の内部には、左右方向に貫通するように支持孔部４３が形成されている。
【００２０】
第１係合部としての係合凸部４５は、回動部材４０の前後方向の最も前側の先端において、下方に突出するように設けられる。係合凸部４５は、係合凹部２５に対して挿脱可能な形状を備え、上下方向においては、図４に示すように、ばね３０の弾性力によって係合凹部２５に挿入されたときに下端が結合開口部２８内へ突出するような長さを有する。
【００２１】
ばね受け凹部４６は、前後方向において支持部４２の後側に設けられ、上側へ凹むような形状を有する。さらに、ばね受け凹部４６は、回動部材４０をベース部２１に回動可能に取り付けたときに、ベース部２１のばね受け凹部２６に下端が収容されたばね３０の上端が収容されるような位置に設けられている。
【００２２】
以上の構成のバックル本体は、図６（Ａ）に示すように、回動部材４０のばね受け凹部４６とベース部２１のばね受け凹部２６にばね３０の上下端をそれぞれ挿入するとともに、回動部材４０の支持部４２の支持孔部４３に挿通させた軸部材４４の両端をベース部２１内の左右の支持孔部２３、２３内にそれぞれ挿入させることによって組み立てる。これにより、回動部材４０は軸部材４４を中心として、図６における時計回り方向に回動可能となるように支持され、ばね３０の弾性力により、ばね受け凹部４６が上側へ係合凸部４５が下側へ向かうように、回動部材４０が回動する力が与えられる。
【００２３】
（２）結合部材５０の構成
図５（Ａ）は本実施形態における結合部材５０を前方上側から見た斜視図、（Ｂ）は（Ａ）に示す結合部材の平面図である。図５（Ａ）、（Ｂ）に示すように、結合部材５０は、本体部５１の前側には、前方に突出し、ベース部２１の結合開口部２８内に嵌入可能な形状を有する結合部５８が設けられている。
【００２４】
図５（Ａ）、（Ｂ）に示すように、結合部５８の前面には、ベース部２１の結合開口部２８内に結合部５８を嵌入したときに、位置決め凹部２９ａ、２９ｂにそれぞれ対応する位置に、前側へ突出する位置決め凸部５９ａ、５９ｂ（第２位置決め部）が設けられている。結合部５８の上部には、一定の幅を持って左右方向に延びるとともに下側へ凹み、回動部材４０の係合凸部４５に対応した形状を有する結合凹部５５（第２係合部）が設けられている。
【００２５】
図６に示すように、結合部５８の内部には第２マグネット５４（第２磁石）が配置されている。この第２マグネット５４は、バックル本体２０と結合部材５０を互いに対向させたときにベース部２１に内蔵された第１マグネット２４と互いに吸引しあうように磁極が配置されている。
なお、第２マグネット５４は、第１マグネット２４との間の磁気吸引力によってバックル本体２０と結合部材５０とを互いに保持することが可能であれば、本体部５１内に配置してもよい。
また、本体部５１の最も後側には左右方向に延びる棒状の取り付け部５７が設けられている。
【００２６】
（３）バックル本体２０と結合部材５０の係合と係合の解除
図６（Ａ）は本実施形態におけるバックル本体２０と結合部材５０が結合される前の状態を示す断面図、（Ｂ）はバックル本体２０と結合部材５０が結合された状態を示す断面図、（Ｃ）はバックル本体２０と結合部材５０の結合が解除された状態を示す断面図である。図６（Ａ）、（Ｂ）、（Ｃ）は、図１（Ａ）又は図１（Ｂ）のＶＩ−ＶＩ線における断面図である。
【００２７】
互いに係合されていない、バックル本体２０と結合部材５０を、図６（Ａ）に示す矢印の方向に沿って、互いに近づけるように移動させ、ベース部２１の結合開口部２８内に結合部５８を挿入すると、結合部５８の先端部上面が当接することによって、ばね３０の弾性力に抗して、係合凸部４５が上側に上がるように、反時計回り方向に回動部材４０が回動する。この状態からさらに結合開口部２８内に結合部５８を挿入すると、位置決め凹部２９ａ、２９ｂの内面に位置決め凸部５９ａ、５９ｂの外面が当接することによって両者が係合し、これによって結合開口部２８内において結合部５８が位置決めされる。このとき、ばね３０の弾性力によって図６（Ａ）における時計まわり方向に回動部材４０が回動して、結合部材５０の結合凹部５５内に回動部材４０の係合凸部４５が嵌入され、これによってバックル本体２０と結合部材５０とが互いに係合される。さらに、この状態においては、第１マグネット２４と第２マグネット５４が互いに磁気的に吸引しあっているため、係合凸部４５と結合凹部５５との係合と合わせて、バックル本体２０と結合部材５０との係合状態が保持される（図６（Ｂ））。
【００２８】
図６（Ｂ）に示す係合状態において、ばね３０が回動部材４０のばね受け凹部４６を押し上げる弾性力に抗して、ばね受け凹部４６の上部を押し下げるように回動部材４０を操作すると、回動部材４０は図６（Ｂ）において反時計まわり方向に回動する。この回動により係合凸部４５は結合凹部５５から抜き出されて両者の係合が解除される。この状態において、第１マグネット２４と第２マグネット５４との間の吸引力に抗してバックル本体２０と結合部材５０を互いに離間させると、両者の結合が解除される。
【００２９】
以上のように構成されたことから、上記実施形態のバックルによれば、バックル本体２０の結合開口部２８内に結合部材５０の結合部５８を挿入するという簡易な操作によって、バックル本体２０と結合部材５０を互いに結合することができ、回動部材４０の係合凸部４５と結合部材５０の結合凹部５５の係合、及び、第１マグネット２４と第２マグネット５４との間の磁気的な吸引によって、バックル本体２０と結合部材５０との係合を確実に保持することができる。さらに、回動部材４０を回動させることによってバックル本体２０と結合部材５０との係合を解除できるため、鍵などの付属物を使わずに係合を解除することができる。
【００３０】
本考案について上記実施形態を参照しつつ説明したが、本考案は上記実施形態に限定されるものではなく、改良の目的または本考案の思想の範囲内において改良または変更が可能である。
【産業上の利用可能性】
【００３１】
以上のように、本考案に係るバックルは、簡易な操作でバックル本体と結合部材を結合することができ、磁石や鍵などの付属物を用いることなく係合を解除することができる点で有用である。
【符号の説明】
【００３２】
１０    バックル
１１    ベルト
２０    バックル本体
２１    ベース部
２１ａ  凹部
２２    支持凹部
２３    支持孔部
２４    第１マグネット（第１磁石）
２５    係合凹部
２６    ばね受け凹部
２７    取り付け部
２８    結合開口部（収容凹部）
２９ａ、２９ｂ  位置決め凹部（第１位置決め部）
３０    ばね（弾性部材）
４０    回動部材
４１    下面
４２    支持部
４３    支持孔部
４４    軸部材
４５    係合凸部（第１係合部）
４６    ばね受け凹部
５０    結合部材
５１    本体部
５４    第２マグネット（第２磁石）
５５    結合凹部（第２係合部）
５７    取り付け部
５８    結合部
５９ａ、５９ｂ  位置決め凹部（第２位置決め部）
【図１】
0003200327.tif 000003
【図２】
0003200327.tif 000004
【図３】
0003200327.tif 000005
【図４】
0003200327.tif 000006
【図５】
0003200327.tif 000007
【図６】
0003200327.tif 000008